(57)【要約】      （修正有）【課題】重機の各種操作における視認性を確保する掴み爪を提供する。【解決手段】掴み爪１には、支持板Ａ１２の左右の外側から左右方向に突出された支軸１００に軸支される左右２枚の軸支部１２が備えられており、この軸支部１２を支軸１００に軸支することによって、掴み爪１の回転ができるようにされている。また、掴み爪１は、後面部Ａ１０と掴み爪１とにわたるように配されると共に、後面部Ａ１０と掴み爪１とに、夫々左右方向の軸を中心として回転するように軸支された油圧シリンダ３の伸縮によって、開口部２０に接近する位置から離間する位置にわたって回転するようになっている。バケット２のみを備えた通常の重機と同じ範囲での視認性を確保できる掴み爪１の左右幅は、アームＡ１の最大左右幅の１．２倍以内である。【選択図】図５
0003200975.tif 000002
【実用新案登録請求の範囲】
【請求項１】
重機のアームに回転自在に軸支されたバケットの開口部と対面する方向に接近する方向と、前記開口部から離間して前記アームと正対する方向とに回転自在に軸支された掴み爪であって、前記掴み爪は、前記バケットの支軸と平行な軸を有する支軸に対して回転自在に軸支されていると共に、前記支軸の軸方向に沿う前記掴み爪の幅が、前記支軸の軸方向に沿う前記アームの幅の１．２倍以内であることを特徴とする掴み爪。
【請求項２】
前記掴み爪の幅が、前記アームの幅以内であることを特徴とする請求項１に記載の掴み爪。
【請求項３】
前記掴み爪が、前記アームに軸支されていることを特徴とする請求項１又は２に記載の掴み爪。
【請求項４】
前記掴み爪が、前記バケットに軸支されていることを特徴とする請求項１又は２に記載の掴み爪。
【考案の詳細な説明】
【技術分野】
【０００１】
本考案は、パワーショベル等の重機のアームに装着されるバケットの開口部に対して、接近・離間する方向に回転自在に軸支された掴み爪に関する。
【背景技術】
【０００２】
重機のアームに装着されるバケットの開口部に対して、接近・離間する方向に回転自在に軸支された掴み爪は、下記、特許文献１に記載されているものが知られている。
【０００３】
特許文献１に記載の掴み爪は、バケットの支軸と平行な軸を有する支軸によって、バケットの開口部に対して接近・離間するように軸支されており、接近することによって、大きな石、丸太、鉄骨等の重量物を掴むことができるようになっている。
【０００４】
また、掴み爪をアーム側に回転させてバケットの開口部から離間させることによって、バケット単体で、掘削作業等を行うことができるようになっている。
【先行技術文献】
【特許文献】
【０００５】
【特許文献１】特開２００３−３３６２８０号公報
【考案の概要】
【考案が解決しようとする課題】
【０００６】
しかしながら、特許文献１に記載の掴み爪は、重機のオペレータの視線が、バケットの支軸の径方向と対向する方向であって、回転するバケットの回転中において、バケットの開口部がオペレータの視線と対向する状態において、バケットの支軸の軸と平行なアームの面の幅よりも幅広に設定されているため、重機の移動時やバケットの掘削作業時にアームからはみ出す掴み爪が視線を遮ってしまい、重機の移動やバケットの掘削作業が行い難くなってしまうという問題があった。
【課題を解決するための手段】
【０００７】
前述の課題を解決するために、本考案が採用した手段は、重機のアームに回転自在に軸支されたバケットの開口部と対面する方向に接近する方向と、前記開口部から離間して前記アームと正対する方向とに回転自在に軸支された掴み爪であって、前記掴み爪は、前記バケットの支軸と平行な軸を有する支軸に対して回転自在に軸支されていると共に、前記支軸の軸方向に沿う前記掴み爪の幅が、前記支軸の軸方向に沿う前記アームの幅の１．２倍以内であることを特徴とする掴み爪にしたことである。
【図面の簡単な説明】
【０００８】
【図１】本考案に係る一実施形態の掴み爪を備えた重機の斜視図である。
【図２】図１において、重量物の一例である大きい石を掴んだ状態を示す。
【図３】図１において、重量物の一例である丸太を掴んだ状態を示す。
【図４】図３の側面図である。
【図５】(ａ)は、図１の(５Ａ)矢示図であり、掴み爪を開口部から離間させた状態を示し、(ｂ)は、(ａ)において、掴み爪を開口部に正対するように接近させた状態を示す。
【図６】掴み爪の動作を示す動作図であり、(ａ)は、掴み爪を開口部に対して最も接近させた状態を示し、(ｂ)は、重量物を掴んだ状態の掴み爪の位置を示し、 (ｃ)は、掴み爪を開口部に対して最も離間させた状態を示す。
【考案を実施するための形態】
【０００９】
以下、本考案に係る一実施形態の掴み爪１を図１〜図６に基づいて説明する。
【００１０】
掴み爪１は、重機ＡのアームＡ１の先端に回転自在に軸支されたバケット２の開口部２０と正対すると共に、開口部２０に対して接近・離間する方向に回転自在にアームＡ１に軸支されている。
【００１１】
尚、以下では、重機Ａの運転席Ａ２側を後、運転席Ａ２に対してアームＡ１側を前として説明するが、この前後方向は、重機Ａの前進・後進を意味するものではない。また、地面Ｇ側を下、地面Ｇに対して重機Ａの運転席Ａ２側を上とし、前後・上下方向に対して直交する方向を左右方向として説明する。また、掴み爪１は、バケット２に直接軸支してもよい。
【００１２】
本形態における重機Ａは、上下の軸を中心に回転する運転席Ａ２と一体にアームＡ１が回転するものであり、常にアームＡ１の後面部Ａ１０が、運転席Ａ２のフロントガラスＡ２０と正対するものである。
【００１３】
ここで、バケット２は、アームＡ１の先端に左右方向の軸を有して支持された支軸２１に対して、支軸２１の軸を中心に回転自在に軸支されていると共に、回転動作中において、開口部２０が前後方向・上下方向を向くように軸支されている。
【００１４】
また、バケット２は、アームＡ１の前面部Ａ１１とバケット２の軸支板２Ａとにわたって、夫々左右方向の軸を中心として回転するように軸支された油圧シリンダ２Ｂの伸縮と、油圧シリンダ２Ｂの伸縮をバケット２の回転として伝達するリンク機構２Ｃとによって、支軸２１を回転中心として回転するようになっている。
【００１５】
尚、油圧シリンダ２Ｂは、重機Ａの油圧ポンプ（図示せず）からの油圧配管（図示せず）が接続され、運転席Ａ２のオペレータの操作によって、圧油を油圧シリンダ２Ｂの一次側（図示せず）又は二次側（図示せず）に供給することで伸縮するようにされている。
【００１６】
アームＡ１に対する掴み爪１の軸支位置は、後面部Ａ１０であり、左右方向の軸を有する支軸１００に対して、支軸１００の軸を中心に回転自在に軸支されている。
【００１７】
ここで、支軸１００は、後面部Ａ１０に後方へ突設された左右２枚の支持板Ａ１２に支持されており、掴み爪１を支持板Ａ１２の左右の外側で軸支するようにされている。
【００１８】
掴み爪１は、回転動作中において、開口部２０に接近してこの開口部２０と正対する掴み面部１０を有し、掴み面部１０の全域に凹凸部１１が形成されている。
【００１９】
掴み爪１には、図５（ａ）〜（ｂ）、図６（ａ）〜（ｃ）に示すように、支持板Ａ１２の左右の外側から左右方向に突出された支軸１００に軸支される左右２枚の軸支部１２が備えられており、この軸支部１２を支軸１００に軸支することによって、掴み爪１の回転ができるようにされている。
【００２０】
掴み爪１は、図５（ａ）〜（ｂ）、図６（ａ）〜（ｃ）に示すように、後面部Ａ１０と掴み爪１とにわたるように配されると共に、後面部Ａ１０と掴み爪１とに、夫々左右方向の軸を中心として回転するように軸支された油圧シリンダ３の伸縮によって、開口部２０に接近する位置から離間する位置にわたって回転するようになっている。
【００２１】
掴み爪１は、図２〜図４に示すように、掴み爪１の回転範囲において、重量物Ｂの大きさに応じた回転位置で、重量物Ｂを掴むことができる。図２に示す重量物Ｂは、大きい石であり、図３、図４に示す重量物Ｂは、丸太である。
【００２２】
また、掴み爪１は、図６（ａ）〜（ｃ）に示すように、開口部２０に最接近した状態で、掴み面部１０が開口部２０と向かい合い、開口部２０から最離間した状態で、掴み爪１の後面部１２がアームＡ１の後面部Ａ１０と向かい合う範囲で回転するようにされており、掴み爪１が最離間した状態において、バケット２による掘削作業等を行えるようにされている。
【００２３】
尚、油圧シリンダ３は、重機Ａの油圧ポンプ（図示せず）からの油圧配管（図示せず）が接続され、運転席Ａ２のオペレータの操作によって、圧油を油圧シリンダ３の一次側（図示せず）又は二次側（図示せず）に供給することで伸縮するようにされている。
【００２４】
掴み面部１０は、開口部２０に接近して、この開口部２０とで重量物Ｂを掴んだときに、凹凸部１１が重量物Ｂに食い込むことで、重量物Ｂの掴み状態を保持し、作業中における重量物の落下を防いでいる。
【００２５】
掴み爪１の左右幅は、図５（ａ）（ｂ）に示すように、アームＡ１の最大左右幅（後面部Ａ１０又は前面部Ａ１１）に対して、わずかに幅狭にされており、常に、後面部Ａ１０と正対する運転席Ａ２のフロントガラスＡ２０を通して前方を見るオペレータ（図示せず）の視線を妨げる範囲を、後面部Ａ１０又は前面部Ａ１１の左右幅の範囲に抑えることができる。
【００２６】
また、掴み爪１は、図５（ａ）（ｂ）、図６（ａ）〜（ｃ）に示すように、掴み爪１の後面部１２がアームＡ１の後面部Ａ１０と向かい合ったときに、掴み爪１の左右幅方向の中心を通過する延長線Ｃ１が、後面部Ａ１０左右幅方向の中心を通過する延長線Ｃ２に対して正対して平行となり、この位置から掴み面部１０が開口部２０と向かい合うまでの回転範囲において、延長線Ｃ１が延長線Ｃ２に対して接触して交差する位置に配置されている。
【００２７】
すなわち、掴み爪１を、掴み爪１の回転範囲中において、延長線Ｃ１、Ｃ２が正対して平行となると共に、接触して交差する位置に配置したことにより、アームＡ１の左右幅の中心に対して、掴み爪１の左右幅の中心が左右方向でずれがないようにすることができ、これによって、掴み爪１の左右側面１３をアームＡ１の左右側面Ａ１３からはみ出さないようにすることができる。
【００２８】
したがって、掴み爪１を備えた状態において、オペレータ（図示せず）の視線を妨げる範囲を、バケット２のみを備えた通常の重機Ａと同じ範囲とすることができるため、重量物Ｂの掴み操作、バケット２の掘削操作、重機Ａの移動操作等の各種操作において、バケット２のみを備えた通常の重機Ａと同じ範囲での視認性を確保することができる。
【００２９】
これによって、重機Ａの各種操作を行い易くすることができるため、各種作業を効率的に行うことができる。
【００３０】
バケット２のみを備えた通常の重機Ａと同じ範囲での視認性を確保できる掴み爪１の左右幅は、アームＡ１の最大左右幅の１．２倍以内である。
【００３１】
掴み爪１の左右幅を前述の範囲にする理由は、アームＡ１の最大左右幅の１．２倍以内の範囲であれば、各種操作における視認性を確保でき、１．２倍を越えてしまうと、各種操作において、掴み爪１が各種操作における視線の妨げになってしまうためである。
【００３２】
より好ましい掴み爪１の左右幅は、例示したように、アームＡ１の最大左右幅と同じ幅とすることであり、このような掴み爪１の左右幅であれば、前述したように、バケット２のみを備えた通常の重機Ａと同じ範囲での視認性を確保することができる上に、重量物の掴みを確実に行うことができる。
【００３３】
尚、本考案は、例示した実施の形態に限定するものではなく、実用新案登録請求の範囲に記載された内容から逸脱しない範囲の構成による実施が可能である。
【符号の説明】
【００３４】
Ａ：重機
Ａ１：アーム
１：掴み爪
１００：支軸
２：バケット
２０：開口部
２１：支軸
【図１】
0003200975.tif 000003
【図２】
0003200975.tif 000004
【図３】
0003200975.tif 000005
【図４】
0003200975.tif 000006
【図５】
0003200975.tif 000007
【図６】
0003200975.tif 000008